(57)【特許請求の範囲】
【請求項１】
表示面を有し、画像を表示する表示部と、
前記表示面に対する被検出物の接触に基づく複数の接触位置を検出可能な検出部と、
前記表示部と前記検出部とを制御する制御部と
を備え、
前記複数の接触位置は、第１接触位置と第２接触位置と第３接触位置とを含み、
前記制御部は、前記検出部によって前記第１接触位置が検出された後に、前記第２接触位置と前記第３接触位置とが検出された場合、前記第１接触位置が所定の基準点に位置するように前記画像を移動し、前記第２接触位置と前記第３接触位置との距離が変化することによってピンチ操作が行われたと判定すると、前記所定の基準点に対して前記画像の拡大処理または縮小処理を行う、表示装置。
【請求項２】
前記所定の基準点は、前記表示面の端部に位置する、請求項１に記載の表示装置。
【請求項３】
前記所定の基準点は、前記表示面の隅部に位置する、請求項２に記載の表示装置。
【請求項４】
前記所定の基準点は、前記表示面の左上側に位置する、請求項３に記載の表示装置。
【請求項５】
前記制御部は、前記第１接触位置と、前記第２接触位置および前記第３接触位置で規定される操作位置との位置関係を認識し、前記位置関係に基づいて前記所定の基準点を特定する、請求項１に記載の表示装置。
【請求項６】
前記表示面は、前記第１接触位置を通る境界線で分割される２つの領域を含み、
前記制御部は、前記２つの領域のうち一方の領域に前記操作位置が位置すると判定した場合、前記所定の基準点を前記２つの領域のうち他方の領域に位置するように特定する、請求項５に記載の表示装置。
【請求項７】
前記制御部は、前記第１接触位置よりも右側に前記操作位置が位置すると判定した場合、前記所定の基準点を前記表示面の左上側に位置するように特定し、前記第１接触位置よりも左側に前記操作位置が位置すると判定した場合、前記所定の基準点を前記表示面の右上側に位置するように特定する、請求項６に記載の表示装置。
【請求項８】
前記操作位置は、前記第２接触位置および前記第３接触位置の中間点である、請求項５に記載の表示装置。
【請求項９】
前記操作位置は、前記第２接触位置および前記第３接触位置のいずれか一方である、請求項５に記載の表示装置。
【請求項１０】
前記所定の基準点は、前記表示面の中央に位置する、請求項１に記載の表示装置。
【請求項１１】
前記制御部は、前記検出部によって前記第１接触位置が検出された後に、前記第２接触位置と前記第３接触位置とが検出された時に、前記第１接触位置が前記所定の基準点に位置するように前記画像を移動する、請求項１に記載の表示装置。
【請求項１２】
前記制御部は、前記ピンチ操作が行われたと判定した時に、前記第１接触位置が前記所定の基準点に位置するように前記画像を移動する、請求項１に記載の表示装置。
【請求項１３】
前記制御部は、前記第１接触位置が検出された時刻と前記第３接触位置が検出された時刻との期間を示す第１期間が閾値以下であるか否かを判定し、
判定結果に基づいて、前記第１接触位置が前記所定の基準点に位置するように前記画像を移動する、請求項１に記載の表示装置。
【請求項１４】
前記制御部は、前記第２接触位置と前記第３接触位置との距離が長くなった場合にピンチアウト操作が行われたと判定し、前記第２接触位置と前記第３接触位置との距離が短くなった場合にピンチイン操作が行われたと判定し、前記ピンチアウト操作が行われたと判定した場合、前記所定の基準点を前記表示面の端部に特定し、前記ピンチイン操作が行われたと判定した場合、前記所定の基準点を前記表示面の中央に特定する、請求項１に記載の表示装置。
【発明の詳細な説明】
【技術分野】
【０００１】
本発明は、表示装置に関する。
【背景技術】
【０００２】
従来、ユーザーがピンチ操作を行うことによって、表示された画像を拡大または縮小を行う表示装置が知られている（例えば、特許文献１）。特許文献１に記載の携帯端末では、ユーザーがピンチアウト操作を行うことによって画像が拡大される。また、特許文献１に記載の携帯端末では、ユーザーがピンチイン操作を行うことによって画像が縮小される。
【先行技術文献】
【特許文献】
【０００３】
【特許文献１】特開２０１５−４９６２１号公報
【発明の概要】
【発明が解決しようとする課題】
【０００４】
しかしながら、特許文献１に記載の携帯端末では、ピンチ操作を行うユーザーの指と、拡大または縮小したい画像とが重なる可能性があり、操作性が悪かった。【０００５】
本発明は上記課題に鑑みてなされたものであり、その目的は操作性を向上させることができる表示装置を提供することにある。
【課題を解決するための手段】
【０００６】
本発明に係る表示装置は、表示部と、検出部と、制御部とを備える。前記表示部は、表示面を有する。前記表示部は、画像を表示する。前記検出部は、前記表示面に対する被検出物の接触に基づく複数の接触位置を検出可能である。前記制御部は、前記表示部と前記検出部とを制御する。前記複数の接触位置は、第１接触位置と第２接触位置と第３接触位置とを含む。前記制御部は、前記検出部によって前記第１接触位置が検出された後に、前記第２接触位置と前記第３接触位置とが検出された場合、前記第１接触位置が所定の基準点に位置するように前記画像を移動する。前記制御部は、前記第２接触位置と前記第３接触位置との距離が変化することによってピンチ操作が行われたと判定すると、前記所定の基準点に対して前記画像の拡大処理または縮小処理を行う。
【発明の効果】
【０００７】
本発明によれば、操作性を向上させることができる。
【図面の簡単な説明】
【０００８】
【図１】本発明の実施形態に係る表示装置を示すブロック図である。
【図２Ａ】本発明の実施形態に係る表示装置を示す模式図である。
【図２Ｂ】本発明の実施形態に係る表示装置を示す模式図である。
【図２Ｃ】本発明の実施形態に係る表示装置を示す模式図である。
【図３】本発明の実施形態に係る表示装置の画像の拡大処理または縮小処理の設定方法を示すフローチャートである。
【図４Ａ】本発明の実施形態に係る表示装置を示す模式図である。
【図４Ｂ】本発明の実施形態に係る表示装置を示す模式図である。
【図４Ｃ】本発明の実施形態に係る表示装置を示す模式図である。
【図５】本発明の実施形態に係る表示装置の画像の拡大処理または縮小処理の設定方法を示すフローチャートである。
【図６Ａ】本発明の実施形態に係る表示装置を示す模式図である。
【図６Ｂ】本発明の実施形態に係る表示装置を示す模式図である。
【図６Ｃ】本発明の実施形態に係る表示装置を示す模式図である。
【図７Ａ】本発明の実施形態に係る表示装置を示す模式図である。
【図７Ｂ】本発明の実施形態に係る表示装置を示す模式図である。
【図７Ｃ】本発明の実施形態に係る表示装置を示す模式図である。
【図８】本発明の実施形態に係る表示装置の画像の拡大処理または縮小処理の設定方法を示すフローチャートである。
【図９】本発明の実施形態に係る表示装置の画像の拡大処理または縮小処理の設定方法を示すフローチャートである。
【図１０】本発明の実施形態に係る表示装置の画像の拡大処理または縮小処理の設定方法を示すフローチャートである。
【発明を実施するための形態】
【０００９】
以下、本発明の実施形態について、図面を参照しながら説明する。なお、図中、同一または相当部分については同一の参照符号を付して説明を繰り返さない。
【００１０】
図１および図２Ａ〜図２Ｃを参照して本発明に係る表示装置１０の実施形態を説明する。図１は、本発明の実施形態に係る表示装置１０を示すブロック図である。図２Ａ〜図２Ｃは、本発明の実施形態に係る表示装置１０を示す模式図である。図２Ａにおいて、左手Ｈ１は、表示装置１０を操作するユーザーの左手を示す。図２Ｂおよび図２Ｃにおいて、右手Ｈ２は、表示装置１０を操作するユーザーの右手を示す。第１接触位置Ｐ１、第２接触位置Ｐ２、第３接触位置Ｐ３ａおよび第３接触位置Ｐ３ｂは、検出部３０によって検出された接触位置を示す。距離ｄ１は、第２接触位置Ｐ２と第３接触位置Ｐ３ａとの距離を示す。距離ｄ２は、第２接触位置Ｐ２と第３接触位置Ｐ３ｂとの距離を示す。なお、本明細書において第１接触位置Ｐ１、第２接触位置Ｐ２、第３接触位置Ｐ３ａおよび第３接触位置Ｐ３ｂを総称して接触位置Ｐと記載することがある。
【００１１】
図１に示すように、表示装置１０は、表示部２０と、検出部３０と、記憶部４０と、制御部５０とを備える。表示装置１０は、例えば、スマートフォンまたはタブレット型コンピューターである。
【００１２】
図２Ａ〜図２Ｃに示すように、表示部２０は、表示面２２を有する。表示部２０は、画像Ｇを表示する。本実施形態では、画像Ｇには、文字Ａを示す画像が含まれる。表示部２０は、例えば、液晶パネルである。
【００１３】
検出部３０は、表示面２２に対する被検出物の接触に基づく接触位置Ｐを検出する。検出部３０は、複数の接触位置Ｐを検出可能である。複数の接触位置Ｐは、第１接触位置Ｐ１と第２接触位置Ｐ２と第３接触位置Ｐ３とを含む。検出部３０は、例えば、タッチセンサーである。被検出物は、例えば、表示装置１０を操作するユーザーの指またはタッチペンである。以下、本明細書において、被検出物として、表示装置１０を操作するユーザーの指を例に挙げて説明する。
【００１４】
記憶部４０は、例えば、ＲＯＭ（Ｒｅａｄ  Ｏｎｌｙ  Ｍｅｍｏｒｙ）およびＲＡＭ（Ｒａｎｄｏｍ  Ａｃｃｅｓｓ  Ｍｅｍｏｒｙ）である。ＲＯＭには、制御プログラムが格納されている。
【００１５】
制御部５０は、表示部２０と、検出部３０と、記憶部４０とを制御する。制御部５０は、例えば、ＣＰＵ（Ｃｅｎｔｒａｌ  Ｐｒｏｃｅｓｓｉｎｇ  Ｕｎｉｔ）である。図２Ｂに示すように、制御部５０は、検出部３０によって第１接触位置Ｐ１が検出された後に、第２接触位置Ｐ２と第３接触位置Ｐ３とが検出された場合、第１接触位置Ｐ１が所定の基準点ＢＰに位置するように画像Ｇを移動する。そして、図２Ｃに示すように、制御部５０は、第２接触位置Ｐ２と第３接触位置Ｐ３との距離が変化することによってピンチ操作が行われたと判定すると、所定の基準点ＢＰに対して画像Ｇの拡大処理または縮小処理を行う。このように、ユーザーによってピンチ操作が行われた際、制御部５０は、画像Ｇを移動してから、画像Ｇの拡大処理または縮小処理を行う。したがって、ピンチ操作を行うユーザーの指と、拡大したい画像（例えば、文字Ａを示す画像）とが重なることを抑制することができる。その結果、操作性を向上させることができる。
【００１６】
図１〜図３を参照して、本発明の実施形態に係る表示装置１０の画像Ｇの拡大処理または縮小処理の方法について説明する。図３は、本発明の実施形態に係る表示装置１０の画像Ｇの拡大処理または縮小処理の設定方法を示すフローチャートである。図３に示すステップＳ１０２〜ステップＳ１１２の処理が実行されることによって画像Ｇの拡大処理または縮小処理が行われる。本実施形態では、画像Ｇの拡大処理について説明する。
【００１７】
ステップＳ１０２：ユーザーが第１接触位置Ｐ１に接触する。詳しくは、図２Ａに示すように、ユーザーの左手Ｈ１の人差し指が、第１接触位置Ｐ１をタッチする。第１接触位置Ｐ１がタッチされることによって、検出部３０は、第１接触位置Ｐ１を検出する。処理は、ステップＳ１０４に進む。
【００１８】
ステップＳ１０４：ユーザーが第２接触位置Ｐ２に接触する。詳しくは、図２Ｂに示すように、ユーザーの右手Ｈ２の親指が、第２接触位置Ｐ２をタッチする。第２接触位置Ｐ２がタッチされることによって、検出部３０は、第２接触位置Ｐ２を検出する。処理は、ステップＳ１０６に進む。
【００１９】
ステップＳ１０６：ユーザーが第３接触位置Ｐ３ａに接触する。詳しくは、図２Ｂに示すように、ユーザーの右手Ｈ２の人差し指が、第３接触位置Ｐ３ａをタッチする。第３接触位置Ｐ３ａがタッチされることによって、検出部３０は、第３接触位置Ｐ３ａを検出する。処理は、ステップＳ１０８に進む。
【００２０】
ステップＳ１０８：制御部５０は、第１接触位置Ｐ１が所定の基準点ＢＰに位置するように画像Ｇを移動する。詳しくは、図２Ｂに示すように、検出部３０によって第１接触位置Ｐ１が検出された後に、第２接触位置Ｐ２と第３接触位置Ｐ３ａとが検出された時に、制御部５０は、第１接触位置Ｐ１が所定の基準点ＢＰに位置するように画像Ｇを移動する。本実施形態では、所定の基準点ＢＰは、表示面２２の左上側に位置する。したがって、画像Ｇは、左上側に移動する。すなわち、文字Ａを示す画像は、左上側に移動する。処理は、ステップＳ１１０に進む。
【００２１】
ステップＳ１１０：制御部５０は、第２接触位置Ｐ２と第３接触位置Ｐ３ａとの少なくとも一方が動いたか否かを判定する。詳しくは、制御部５０は、ユーザーの右手Ｈ２の親指とユーザーの右手Ｈ２の人差し指との少なくとも一方が動いたか否かを判定する。より詳しくは、制御部５０は、第２接触位置Ｐ２と第３接触位置Ｐ３ａとの距離が変化したか否かを判定する。制御部５０は、第２接触位置Ｐ２と第３接触位置Ｐ３ａとのいずれもが動いていないと判定した場合（ステップＳ１１０：Ｎｏ）、すなわち、ユーザーによってピンチ操作が行われていないと制御部５０が判定した場合、処理は、ステップＳ１１０に戻る。制御部５０は、第２接触位置Ｐ２と第３接触位置Ｐ３ａとの少なくとも一方が動いたと判定した場合（ステップＳ１１０：Ｙｅｓ）、すなわち、ユーザーによってピンチ操作が行われたと制御部５０が判定した場合、処理は、ステップＳ１１２に進む。例えば、図２Ｃに示すように、ユーザーの右手Ｈ２の人差し指が第３接触位置Ｐ３ａから第３接触位置Ｐ３ｂに移動した場合、第２接触位置Ｐ２と第３接触位置Ｐ３ｂとの距離が、距離ｄ１から距離ｄ２へと変化する。したがって、制御部５０は、ユーザーによってピンチ操作が行われたと判定し（ステップＳ１１０：Ｙｅｓ）、処理は、ステップＳ１１２に進む。
【００２２】
ステップＳ１１２：制御部５０は、所定の基準点ＢＰに対して画像Ｇの拡大処理または縮小処理を行う。詳しくは、制御部５０は、基準点ＢＰを起点として画像Ｇの拡大処理または縮小処理を行う。本実施形態では、図２Ｃに示すように、制御部５０は、基準点ＢＰを起点として画像Ｇの拡大処理を行う。処理は終了する。
【００２３】
以上、図１〜図３を参照して説明したように、制御部５０は、検出部３０によって第１接触位置Ｐ１が検出された後に、第２接触位置Ｐ２と第３接触位置Ｐ３ａとが検出された場合、第１接触位置Ｐ１が所定の基準点ＢＰに位置するように画像Ｇを移動する。制御部５０は、第２接触位置Ｐ２と第３接触位置Ｐ３ａとの距離が変化することによってピンチ操作が行われたと判定すると、所定の基準点ＢＰに対して画像Ｇの拡大処理または縮小処理を行う。したがって、ピンチ操作を行うユーザーの指と、拡大したい画像（例えば、文字Ａを示す画像）とが重なることを抑制することができる。その結果、操作性を向上させることができる。
【００２４】
また、制御部５０は、検出部３０によって第１接触位置Ｐ１が検出された後に、第２接触位置Ｐ２と第３接触位置Ｐ３とが検出された時に、第１接触位置Ｐ１が所定の基準点ＢＰに位置するように画像Ｇを移動する。したがって、ピンチ操作を行う前に、所定の基準点ＢＰに位置するように画像Ｇは移動される。このため、ピンチ操作を行うユーザーの指と、拡大したい画像（例えば、文字Ａを示す画像）とが重なることを抑制することができる。その結果、操作性を向上させることができる。
【００２５】
なお、ユーザーがピンチ操作を行う前に、第１接触位置Ｐ１に接触した指を離してもよいし、第１接触位置Ｐ１を押しながらユーザーがピンチ操作を行ってもよい。
【００２６】
図１〜図３を参照して説明した表示装置１０では、所定の基準点ＢＰは、表示面２２の左上側に位置していたが、所定の基準点ＢＰは、表示面２２の中央に位置してもよい。
【００２７】
図１および図４Ａ〜図４Ｃを参照して、本発明の実施形態に係る表示装置１０の画像Ｇの拡大処理または縮小処理の方法について説明する。図４Ａ〜図４Ｃは、本発明の実施形態に係る表示装置１０を示す模式図である。
【００２８】
図４Ａに示すように、第１接触位置Ｐ１がタッチされることによって、検出部３０は、第１接触位置Ｐ１を検出する。
【００２９】
図４Ｂに示すように、第２接触位置Ｐ２がタッチされることによって、検出部３０は、第２接触位置Ｐ２を検出する。また、第３接触位置Ｐ３ａがタッチされることによって、検出部３０は、第３接触位置Ｐ３ａを検出する。検出部３０によって、第２接触位置Ｐ２と第３接触位置Ｐ３ａとが検出された時に、制御部５０は、第１接触位置Ｐ１が所定の基準点ＢＰに位置するように画像Ｇを移動する。本実施形態では、所定の基準点ＢＰは、表示面２２の中央に位置する。したがって、文字Ａを示す画像は、中央に移動する。
【００３０】
図４Ｃに示すように、ユーザーの右手Ｈ２の人差し指が第３接触位置Ｐ３ａから第３接触位置Ｐ３ｂに移動した場合、第２接触位置Ｐ２と第３接触位置Ｐ３ｂとの距離が、距離ｄ１から距離ｄ２へと変化する。その結果、制御部５０は、ユーザーによってピンチ操作が行われたと判定する。そして、制御部５０は、所定の基準点ＢＰに対して画像Ｇの拡大処理または縮小処理を行う。詳しくは、制御部５０は、基準点ＢＰを起点として画像Ｇの拡大処理または縮小処理を行う。本実施形態では、図４Ｃに示すように、制御部５０は、基準点ＢＰを起点として画像Ｇの縮小処理を行う。
【００３１】
以上、図１および図４Ａ〜図４Ｃを参照して説明したように、所定の基準点ＢＰは、表示面２２の中央に位置する。したがって、ピンチ操作を行う場合、拡大または縮小したい画像（例えば、文字Ａを示す画像）が中央に表示される。その結果、第１接触位置Ｐ１の拡大または縮小したい画像が見やすい位置に移動する。その結果、操作性を向上させることができる。
【００３２】
表示装置１０は、第１接触位置Ｐ１と操作位置ＭＰとの位置関係に基づいて、基準点ＢＰを切り替えるようにしてもよい。操作位置ＭＰは、第２接触位置Ｐ２および第３接触位置Ｐ３ａで規定される。
【００３３】
図１および図５〜図７Ｃを参照して、本発明の実施形態に係る表示装置１０の画像Ｇの拡大処理または縮小処理の方法について説明する。図５は、本発明の実施形態に係る表示装置１０の画像Ｇの拡大処理または縮小処理の設定方法を示すフローチャートである。図６Ａ〜図６Ｃおよび図７Ａ〜図７Ｃは、本発明の実施形態に係る表示装置１０を示す模式図である。
【００３４】
図６Ａ〜図６Ｃおよび図７Ａ〜図７Ｃにおいて、端部Ｅａ、端部Ｅｂ、端部Ｅｃおよび端部Ｅｄは、それぞれ、表示面２２の上側の端部、表示面２２の右側の端部、表示面２２の下側の端部および表示面２２の左側の端部を示す。図６Ａ〜図６Ｃおよび図７Ａ〜図７Ｃにおいて、隅部Ｃａ、隅部Ｃｂ、隅部Ｃｃおよび隅部Ｃｄは、それぞれ、表示面２２の左上側の隅部、表示面２２の右上側の隅部、表示面２２の右下側の隅部、表示面２２の左下側の隅部を示す。図６Ａ〜図６Ｃおよび図７Ａ〜図７Ｃにおいて、境界線ＢＬは、第１接触位置Ｐ１を通る境界線を示す。第１領域Ｒ１および第２領域Ｒ２は、境界線ＢＬで分割された領域である。図６Ａ〜図６Ｃおよび図７Ａ〜図７Ｃにおいて、第１領域Ｒ１は、第１接触位置Ｐ１よりも左側に位置し、第２領域Ｒ２は、第１接触位置Ｐ１よりも右側に位置する。
【００３５】
図５に示すステップＳ２０２〜ステップＳ２２０の処理が実行されることによって画像Ｇの拡大処理または縮小処理が行われる。本実施形態では、画像Ｇの拡大処理について説明する。図３のフローチャートに示す画像Ｇの拡大処理または縮小処理の方法との重複部分については説明を省略する。
【００３６】
ステップＳ２０２：ユーザーが第１接触位置Ｐ１に接触する。詳しくは、図６Ａおよび図７Ａに示すように、ユーザーの左手Ｈ１の人差し指が、第１接触位置Ｐ１をタッチする。第１接触位置Ｐ１がタッチされることによって、検出部３０は、第１接触位置Ｐ１を検出する。検出部３０によって第１接触位置Ｐ１検出されると、制御部５０は、第１接触位置Ｐ１を通るように、境界線ＢＬを特定する。そして、制御部５０は、境界線ＢＬによって２つに分割された領域を、第１領域Ｒ１と第２領域Ｒ２とに特定する。処理は、ステップＳ２０４に進む。
【００３７】
ステップＳ２０４：ユーザーが第２接触位置Ｐ２に接触する。詳しくは、図６Ｂおよび図７Ｂに示すように、ユーザーの右手Ｈ２の親指が、第２接触位置Ｐ２をタッチする。第２接触位置Ｐ２がタッチされることによって、検出部３０は、第２接触位置Ｐ２を検出する。処理は、ステップＳ２０６に進む。
【００３８】
ステップＳ２０６：ユーザーが第３接触位置Ｐ３ａに接触する。詳しくは、図６Ｂおよび図７Ｂに示すように、ユーザーの右手Ｈ２の人差し指が、第３接触位置Ｐ３ａをタッチする。第３接触位置Ｐ３ａがタッチされることによって、検出部３０は、第３接触位置Ｐ３ａを検出する。処理は、ステップＳ２０８に進む。
【００３９】
ステップＳ２０８：制御部５０は、第１接触位置Ｐ１と、操作位置ＭＰとの位置関係を認識する。図６Ｂおよび図７Ｂに示すように、操作位置ＭＰは、第２接触位置Ｐ２および第３接触位置Ｐ３ａで規定される。本実施形態では、操作位置ＭＰは、第２接触位置Ｐ２および第３接触位置Ｐ３ａの中間点である。なお、操作位置ＭＰは、第２接触位置Ｐ２および第３接触位置Ｐ３ａのいずれか一方であってもよい。処理は、ステップＳ２１０に進む。
【００４０】
ステップＳ２１０：制御部５０は、第１接触位置Ｐ１に対する操作位置ＭＰの位置関係を判定する。制御部５０が、操作位置ＭＰが第１接触位置Ｐ１に対して左側に位置していると判定した場合（ステップＳ２１０：左側）、処理は、ステップＳ２１４に進む。制御部５０が、操作位置ＭＰが第１接触位置Ｐ１に対して右側に位置していると判定した場合（ステップＳ２１０：右側）、処理は、ステップＳ２１２に進む。例えば、図７Ｂに示すように、操作位置ＭＰが第１接触位置Ｐ１に対して左側に位置している場合、制御部５０が、操作位置ＭＰが第１接触位置Ｐ１に対して左側に位置していると判定し、処理はステップＳ２１４に進む。一方、図６Ｂに示すように、操作位置ＭＰが第１接触位置Ｐ１に対して右側に位置している場合、制御部５０が、操作位置ＭＰが第１接触位置Ｐ１に対して右側に位置していると判定し、処理はステップＳ２１２に進む。
【００４１】
ステップＳ２１２：制御部５０は、所定の基準点ＢＰを表示面２２の左上側に特定する。すなわち、図６Ｂに示すように、制御部５０は、所定の基準点ＢＰを、操作位置ＭＰが位置する第２領域Ｒ２とは異なる第１領域Ｒ１に位置するように特定する。本実施形態では、所定の基準点ＢＰは、端部Ｅａに位置する。詳しくは、所定の基準点ＢＰは、隅部Ｃａに位置する。処理は、ステップＳ２１６に進む。
【００４２】
ステップＳ２１４：制御部５０は、所定の基準点ＢＰを表示面２２の右上側に特定する。すなわち、図７Ｂに示すように、制御部５０は、所定の基準点ＢＰを、操作位置ＭＰが位置する第１領域Ｒ１とは異なる第２領域Ｒ２に位置するように特定する。本実施形態では、所定の基準点ＢＰは、端部Ｅａに位置する。詳しくは、所定の基準点ＢＰは、隅部Ｃｂに位置する。処理は、ステップＳ２１６に進む。
【００４３】
ステップＳ２１６：制御部５０は、第１接触位置Ｐ１が所定の基準点ＢＰに位置するように画像Ｇを移動する。詳しくは、ステップＳ２１０において、制御部５０が、操作位置ＭＰが第１接触位置Ｐ１に対して右側に位置していると判定した場合（ステップＳ２１０：右側）、図６Ｂに示すように、検出部３０によって第１接触位置Ｐ１が検出された後に、第２接触位置Ｐ２と第３接触位置Ｐ３ａとが検出された時に、第１接触位置Ｐ１が制御部５０によって特定された所定の基準点ＢＰ、すなわち、表示面２２の左上側に位置するように制御部５０は画像Ｇを移動する。したがって、画像Ｇは、表示面２２の左上側に移動する。すなわち、文字Ａを示す画像は、表示面２２の左上側に移動する。一方、ステップＳ２１０において、制御部５０が、操作位置ＭＰが第１接触位置Ｐ１に対して左側に位置していると判定した場合（ステップＳ２１０：左側）、図７Ｂに示すように、検出部３０によって第１接触位置Ｐ１が検出された後に、第２接触位置Ｐ２と第３接触位置Ｐ３ａとが検出された時に、第１接触位置Ｐ１が、制御部５０によって特定された所定の基準点ＢＰ、すなわち、表示面２２の右上側に位置するように制御部５０は画像Ｇを移動する。すなわち、制御部５０は第１接触位置Ｐ１が、表示面２２の右上側に位置するように画像Ｇを移動する。したがって、画像Ｇは、表示面２２の右上側に移動する。すなわち、文字Ｂを示す画像は、表示面２２の右上側に移動する。処理は、ステップＳ２１８に進む。
【００４４】
ステップＳ２１８：制御部５０は、第２接触位置Ｐ２と第３接触位置Ｐ３ａとの少なくとも一方が動いたか否かを判定する。詳しくは、制御部５０は、ユーザーの右手Ｈ２の親指とユーザーの右手Ｈ２の人差し指との少なくとも一方が動いたか否かを判定する。より詳しくは、制御部５０は、第２接触位置Ｐ２と第３接触位置Ｐ３ａとの距離が変化したか否かを判定する。制御部５０は、第２接触位置Ｐ２と第３接触位置Ｐ３ａとのいずれもが動いていないと判定した場合（ステップＳ２１８：Ｎｏ）、すなわち、ユーザーによってピンチ操作が行われていないと制御部５０が判定した場合、処理は、ステップＳ２１８に戻る。制御部５０は、第２接触位置Ｐ２と第３接触位置Ｐ３ａとの少なくとも一方が動いたと判定した場合（ステップＳ２１８：Ｙｅｓ）、すなわち、ユーザーによってピンチ操作が行われたと制御部５０が判定した場合、処理は、ステップＳ２２０に進む。例えば、図６Ｃおよび図７Ｃに示すように、ユーザーの右手Ｈ２の人差し指が第３接触位置Ｐ３ａから第３接触位置Ｐ３ｂに移動した場合、第２接触位置Ｐ２と第３接触位置Ｐ３ｂとの距離が、距離ｄ１から距離ｄ２へと変化する。したがって、制御部５０は、ユーザーによってピンチ操作が行われたと判定し（ステップＳ２１８：Ｙｅｓ）、処理は、ステップＳ２２０に進む。
【００４５】
ステップＳ２２０：制御部５０は、所定の基準点ＢＰに対して画像Ｇの拡大処理または縮小処理を行う。詳しくは、制御部５０は、基準点ＢＰを起点として画像Ｇの拡大処理または縮小処理を行う。例えば、図６Ｃに示すように、制御部５０は、基準点ＢＰ、すなわち、表示面２２の左上側を起点として画像Ｇの拡大処理を行う。あるいは、図７Ｃに示すように、制御部５０は、基準点ＢＰ、すなわち、表示面２２の右上側を起点として画像Ｇの拡大処理を行う。処理は終了する。
【００４６】
以上、図１および図５〜図７Ｃを参照して説明したように、制御部５０は、第１接触位置Ｐ１と、第２接触位置Ｐ２および第３接触位置Ｐ３ａで規定される操作位置ＭＰとの位置関係を認識し、位置関係に基づいて所定の基準点ＢＰを特定する。したがって、ピンチ操作を行うユーザーの指と、拡大したい画像（例えば、文字Ａまたは文字Ｂを示す画像）とが重なることを抑制することができる。その結果、操作性を向上させることができる。
【００４７】
また、表示面２２は、第１接触位置Ｐ１を通る境界線ＢＬで分割される２つの領域を含む。制御部５０は、２つの領域（第１領域Ｒ１および第２領域Ｒ２）のうち一方の領域に操作位置ＭＰが位置すると判定した場合、所定の基準点ＢＰを２つの領域のうち他方の領域に位置するように特定する。例えば、制御部５０は、操作位置ＭＰが第１領域Ｒ１に位置すると判定した場合、所定の基準点ＢＰを第２領域Ｒ２に位置するように特定する。一方、制御部５０は、操作位置ＭＰが第２領域Ｒ２に位置すると判定した場合、所定の基準点ＢＰを第１領域Ｒ１に位置するように特定する。したがって、ピンチ操作を行う際、ピンチ操作が行われた位置と異なる側の領域に画像Ｇは移動される。その結果、ピンチ操作を行うユーザーの指と、拡大または縮小したい画像（例えば、文字Ａまたは文字Ｂを示す画像）とが重なることを抑制することができる。その結果、操作性を向上させることができる。
【００４８】
制御部５０は、第１接触位置Ｐ１よりも右側に操作位置ＭＰが位置すると判定した場合、所定の基準点ＢＰを表示面２２の左上側に位置するように特定し、第１接触位置Ｐ１よりも左側に操作位置ＭＰが位置すると判定した場合、所定の基準点ＢＰを表示面２２の右上側に位置するように特定する。したがって、ピンチ操作を行うユーザーの指と、拡大または縮小したい画像（例えば、文字Ａまたは文字Ｂを示す画像）とが重なることを抑制することができる。その結果、操作性を向上させることができる。
【００４９】
第３接触位置Ｐ３が検出されたタイミングに応じて、拡大処理または縮小処理の起点の位置の設定を変更可能にしてもよい。図１、図６Ａ〜図６Ｃおよび図８を参照して、本発明の実施形態に係る表示装置１０の画像Ｇの拡大処理または縮小処理の方法について説明する。図８は、本発明の実施形態に係る表示装置１０の画像Ｇの拡大処理または縮小処理の設定方法を示すフローチャートである。図８に示すステップＳ３０２〜ステップＳ３２２の処理が実行されることによって画像Ｇの拡大処理または縮小処理が行われる。本実施形態では、画像Ｇの拡大処理について説明する。図８のフローチャートに示す画像Ｇの拡大処理または縮小処理の方法は、第３接触位置Ｐ３が検出されたタイミングに応じて、拡大処理または縮小処理の起点の位置の設定を変更する。図３のフローチャートに示す画像Ｇの拡大処理または縮小処理の方法との重複部分については説明を省略する。
【００５０】
ステップＳ３０２：ユーザーが時刻ｔ１に第１接触位置Ｐ１に接触する。詳しくは、図６Ａに示すように、ユーザーの左手Ｈ１の人差し指が、第１接触位置Ｐ１をタッチする。第１接触位置Ｐ１がタッチされることによって、検出部３０は、第１接触位置Ｐ１を検出する。処理は、ステップＳ３０４に進む。
【００５１】
ステップＳ３０４：制御部５０が、記憶部４０に時刻ｔ１を記憶させる。処理は、ステップＳ３０６に進む。
【００５２】
ステップＳ３０６：ユーザーが第２接触位置Ｐ２に接触する。詳しくは、図６Ｂに示すように、ユーザーの右手Ｈ２の親指が、第２接触位置Ｐ２をタッチする。第２接触位置Ｐ２がタッチされることによって、検出部３０は、第２接触位置Ｐ２を検出する。処理は、ステップＳ３０８に進む。
【００５３】
ステップＳ３０８：ユーザーが時刻ｔ２に第３接触位置Ｐ３ａに接触する。詳しくは、図６Ｂに示すように、ユーザーの右手Ｈ２の人差し指が、第３接触位置Ｐ３ａをタッチする。第３接触位置Ｐ３ａがタッチされることによって、検出部３０は、第３接触位置Ｐ３ａを検出する。処理は、ステップＳ３１０に進む。
【００５４】
ステップＳ３１０：制御部５０が、記憶部４０に時刻ｔ２を記憶させる。処理は、ステップＳ３１２に進む。
【００５５】
ステップＳ３１２：制御部５０は、時刻ｔ２−時刻ｔ１（第１期間）が基準点位置判定期間（閾値）以下であるか否かを判定する。基準点位置判定期間は、記憶部４０に記憶されている。基準点位置判定期間は、例えば５秒である。制御部５０が時刻ｔ２−時刻ｔ１が基準点位置判定期間よりも長いと判定した場合（ステップＳ３１２：Ｎｏ）、処理は、ステップＳ３２０に進む。制御部５０が時刻ｔ２−時刻ｔ１が基準点位置判定期間以下であると判定した場合（ステップＳ３１２：Ｙｅｓ）、処理は、ステップＳ３１４に進む。
【００５６】
ステップＳ３１４：制御部５０は、第１接触位置Ｐ１が所定の基準点ＢＰに位置するように画像Ｇを移動する。詳しくは、図６Ｂに示すように、検出部３０によって第１接触位置Ｐ１が検出された後に、第２接触位置Ｐ２と第３接触位置Ｐ３ａとが検出された時に、制御部５０は第１接触位置Ｐ１が所定の基準点ＢＰに位置するように画像Ｇを移動する。本実施形態では、所定の基準点ＢＰは、表示面２２の左上側に位置する。したがって、画像Ｇは、左上側に移動する。すなわち、文字Ａを示す画像は、左上側に移動する。処理は、ステップＳ３１６に進む。
【００５７】
ステップＳ３１６：制御部５０は、第２接触位置Ｐ２と第３接触位置Ｐ３ａとの少なくとも一方が動いたか否かを判定する。詳しくは、制御部５０は、ユーザーの右手Ｈ２の親指とユーザーの右手Ｈ２の人差し指との少なくとも一方が動いたか否かを判定する。より詳しくは、制御部５０は、第２接触位置Ｐ２と第３接触位置Ｐ３ａとの距離が変化したか否かを判定する。制御部５０は、第２接触位置Ｐ２と第３接触位置Ｐ３ａとのいずれもが動いていないと判定した場合（ステップＳ３１６：Ｎｏ）、すなわち、ユーザーによってピンチ操作が行われていないと制御部５０が判定した場合、処理は、ステップＳ３１６に戻る。制御部５０は、第２接触位置Ｐ２と第３接触位置Ｐ３ａとの少なくとも一方が動いたと判定した場合（ステップＳ３１６：Ｙｅｓ）、すなわち、ユーザーによってピンチ操作が行われたと制御部５０が判定した場合、処理は、ステップＳ３１８に進む。例えば、図６Ｃに示すように、ユーザーの右手Ｈ２の人差し指が第３接触位置Ｐ３ａから第３接触位置Ｐ３ｂに移動した場合、第２接触位置Ｐ２と第３接触位置Ｐ３ｂとの距離が、距離ｄ１から距離ｄ２へと変化する。したがって、制御部５０は、ユーザーによってピンチ操作が行われたと判定し（ステップＳ３１６：Ｙｅｓ）、処理は、ステップＳ３１８に進む。
【００５８】
ステップＳ３１８：制御部５０は、所定の基準点ＢＰに対して画像Ｇの拡大処理または縮小処理を行う。詳しくは、制御部５０は、基準点ＢＰを起点として画像Ｇの拡大処理または縮小処理を行う。本実施形態では、図６Ｃに示すように、制御部５０は、基準点ＢＰを起点として画像Ｇの拡大処理を行う。処理は終了する。
【００５９】
ステップＳ３２０：制御部５０は、第２接触位置Ｐ２と第３接触位置Ｐ３ａとの少なくとも一方が動いたか否かを判定する。詳しくは、制御部５０は、ユーザーの右手Ｈ２の親指とユーザーの右手Ｈ２の人差し指との少なくとも一方が動いたか否かを判定する。より詳しくは、制御部５０は、第２接触位置Ｐ２と第３接触位置Ｐ３ａとの距離が変化したか否かを判定する。制御部５０は、第２接触位置Ｐ２と第３接触位置Ｐ３ａとのいずれもが動いていないと判定した場合（ステップＳ３２０：Ｎｏ）、すなわち、ユーザーによってピンチ操作が行われていないと制御部５０が判定した場合、処理は、ステップＳ３２０に戻る。制御部５０は、第２接触位置Ｐ２と第３接触位置Ｐ３ａとの少なくとも一方が動いたと判定した場合（ステップＳ３２０：Ｙｅｓ）、すなわち、ユーザーによってピンチ操作が行われたと制御部５０が判定した場合、処理は、ステップＳ３２２に進む。例えば、図６Ｃに示すように、ユーザーの右手Ｈ２の人差し指が第３接触位置Ｐ３ａから第３接触位置Ｐ３ｂに移動した場合、第２接触位置Ｐ２と第３接触位置Ｐ３ｂとの距離が、距離ｄ１から距離ｄ２へと変化する。したがって、制御部５０は、ユーザーによってピンチ操作が行われたと判定し（ステップＳ３２０：Ｙｅｓ）、処理は、ステップＳ３２２に進む。
【００６０】
ステップＳ３２２：制御部５０は、操作位置ＭＰに対して画像Ｇの拡大処理または縮小処理を行う。詳しくは、制御部５０は、操作位置ＭＰを起点として画像Ｇの拡大処理または縮小処理を行う。本実施形態では、制御部５０は、操作位置ＭＰを起点として画像Ｇの拡大処理を行う。処理は終了する。
【００６１】
図１、図２Ａ〜図２Ｃおよび図８を参照して説明したように、表示装置１０では、制御部５０は、第１接触位置Ｐ１が検出された時刻ｔ１と、第３接触位置Ｐ３が検出された時刻ｔ２との期間を示す第１期間（時刻ｔ２−時刻ｔ１）が閾値（基準点位置判定期間）以下であるか否かを判定する。制御部５０は、判定結果に基づいて、第１接触位置Ｐ１が所定の基準点ＢＰに位置するように画像Ｇを移動する。
【００６２】
詳しくは、制御部５０が第１期間（時刻ｔ２−時刻ｔ１）が閾値（基準点位置判定期間）以下であると判定した場合、制御部５０は、第１接触位置Ｐ１が所定の基準点ＢＰに位置するように画像Ｇを移動する。そして、制御部５０は、基準点ＢＰに対して画像Ｇの拡大処理または縮小処理を行う。したがって、ピンチ操作を行うユーザーの指と、拡大または縮小したい画像（例えば、文字Ａまたは文字Ｂを示す画像）とが重なることを抑制することができる。その結果、操作性を向上させることができる。
【００６３】
一方、制御部５０が第１期間（時刻ｔ２−時刻ｔ１）が閾値（基準点位置判定期間）よりも長いと判定した場合、制御部５０は、画像Ｇを移動させることなく、操作位置ＭＰに対して画像Ｇの拡大処理または縮小処理を行う。したがって、ユーザーがタッチ操作によって画像Ｇの移動先を指定することなくピンチ操作を行うことによって、画像Ｇを移動させることなく、ピンチ操作が行われた位置に対して、画像Ｇを拡大処理または縮小処理させることができる。
【００６４】
このように、表示装置１０では、第３接触位置Ｐ３ａが接触されたタイミングに応じて、ピンチ操作を行う場合に、画像Ｇを移動させるか否かを変更可能である。したがって、ユーザーは用途に応じて拡大または縮小したい画像Ｇの位置の設定を変更することができる。
【００６５】
図１〜図８を参照して説明した表示装置１０では、制御部５０は、検出部３０によって第１接触位置Ｐ１が検出された後に、第２接触位置Ｐ２と第３接触位置Ｐ３とが検出された時に、第１接触位置Ｐ１が所定の基準点ＢＰに位置するように画像Ｇを移動していた。しかしながら、制御部５０は、ピンチ操作が行われたと判定した時に、第１接触位置Ｐ１が所定の基準点ＢＰに位置するように画像Ｇを移動してもよい。
【００６６】
図１および図９を参照して、本発明の実施形態に係る表示装置１０の画像Ｇの拡大処理または縮小処理の方法について説明する。図９は、本発明の実施形態に係る表示装置１０の画像Ｇの拡大処理または縮小処理の設定方法を示すフローチャートである。図９に示すステップＳ４０２〜ステップＳ４１２の処理が実行されることによって画像Ｇの拡大処理または縮小処理が行われる。図９のフローチャートに示す画像Ｇの拡大処理または縮小処理の方法は、制御部５０が画像Ｇを移動するタイミングが異なる点を除いて、図３のフローチャートに示す画像Ｇの拡大処理または縮小処理の方法と同様の処理であるため、重複部分については説明を省略する。
【００６７】
ステップＳ４０２〜ステップＳ４０６：ユーザーが第１接触位置Ｐ１、第２接触位置Ｐ２および第３接触位置Ｐ３ａに接触する。ステップＳ４０２〜ステップＳ４０６の処理が実行されると、処理は、ステップＳ４０８に進む。
【００６８】
ステップＳ４０８：制御部５０は、第２接触位置Ｐ２と第３接触位置Ｐ３ａとの少なくとも一方が動いたか否かを判定する。詳しくは、制御部５０は、ユーザーの右手Ｈ２の親指とユーザーの右手Ｈ２の人差し指との少なくとも一方が動いたか否かを判定する。より詳しくは、制御部５０は、第２接触位置Ｐ２と第３接触位置Ｐ３ａとの距離が変化したか否かを判定する。制御部５０は、第２接触位置Ｐ２と第３接触位置Ｐ３ａとのいずれもが動いていないと判定した場合（ステップＳ４０８：Ｎｏ）、すなわち、ユーザーによってピンチ操作が行われていないと制御部５０が判定した場合、処理は、ステップＳ４０８に戻る。制御部５０は、第２接触位置Ｐ２と第３接触位置Ｐ３ａとの少なくとも一方が動いたと判定した場合（ステップＳ４０８：Ｙｅｓ）、すなわち、ユーザーによってピンチ操作が行われたと制御部５０が判定した場合、処理は、ステップＳ４１０に進む。
【００６９】
ステップＳ４１０：制御部５０は、第１接触位置Ｐ１が所定の基準点ＢＰに位置するように画像Ｇを移動する。詳しくは、制御部５０が、ピンチ操作が行われたと判定した時に、第１接触位置Ｐ１が所定の基準点ＢＰに位置するように画像Ｇを移動する。処理は、ステップＳ４１２に進む。
【００７０】
ステップＳ４１２：制御部５０は、所定の基準点ＢＰに対して画像Ｇの拡大処理または縮小処理を行う。詳しくは、制御部５０は、基準点ＢＰを起点として画像Ｇの拡大処理または縮小処理を行う。本実施形態では、制御部５０は、基準点ＢＰを起点として画像Ｇの拡大処理を行う。処理は終了する。
【００７１】
以上、図１および図９を参照して説明したように、制御部５０は、ピンチ操作が行われたと判定した時に、第１接触位置Ｐ１が所定の基準点ＢＰに位置するように画像Ｇを移動する。したがって、ピンチ操作を行うユーザーの指と、拡大したい画像（例えば、文字Ａを示す画像）とが重なることを抑制することができる。その結果、操作性を向上させることができる。
【００７２】
ピンチイン操作が行われたかピンチアウト操作が行われたかに応じて、拡大処理または縮小処理の起点の位置の設定を変更可能にしてもよい。図１、図２Ａ〜図２Ｃ、図４Ａ〜図４Ｃおよび図１０を参照して、本発明の実施形態に係る表示装置１０の画像Ｇの拡大処理または縮小処理の方法について説明する。図１０は、本発明の実施形態に係る表示装置１０の画像Ｇの拡大処理または縮小処理の設定方法を示すフローチャートである。図１０に示すステップＳ５０２〜ステップＳ５２２の処理が実行されることによって画像Ｇの拡大処理または縮小処理が行われる。図３のフローチャートに示す画像Ｇの拡大処理または縮小処理の方法との重複部分については説明を省略する。
【００７３】
ステップＳ５０２：ユーザーが第１接触位置Ｐ１に接触する。詳しくは、図２Ａおよび図４Ａに示すように、ユーザーの左手Ｈ１の人差し指が、第１接触位置Ｐ１をタッチする。第１接触位置Ｐ１がタッチされることによって、検出部３０は、第１接触位置Ｐ１を検出する。処理は、ステップＳ５０４に進む。
【００７４】
ステップＳ５０４：ユーザーが第２接触位置Ｐ２に接触する。詳しくは、図２Ｂおよび図４Ｂに示すように、ユーザーの右手Ｈ２の親指が、第２接触位置Ｐ２をタッチする。第２接触位置Ｐ２がタッチされることによって、検出部３０は、第２接触位置Ｐ２を検出する。処理は、ステップＳ５０６に進む。
【００７５】
ステップＳ５０６：ユーザーが第３接触位置Ｐ３ａに接触する。詳しくは、図２Ｂおよび図４Ｂに示すように、ユーザーの右手Ｈ２の人差し指が、第３接触位置Ｐ３ａをタッチする。第３接触位置Ｐ３ａがタッチされることによって、検出部３０は、第３接触位置Ｐ３ａを検出する。処理は、ステップＳ５０８に進む。
【００７６】
ステップＳ５０８：制御部５０は、第２接触位置Ｐ２と第３接触位置Ｐ３ａとの少なくとも一方が動いたか否かを判定する。詳しくは、制御部５０は、ユーザーの右手Ｈ２の親指とユーザーの右手Ｈ２の人差し指との少なくとも一方が動いたか否かを判定する。より詳しくは、制御部５０は、第２接触位置Ｐ２と第３接触位置Ｐ３ａとの距離が変化したか否かを判定する。制御部５０は、第２接触位置Ｐ２と第３接触位置Ｐ３ａとのいずれもが動いていないと判定した場合（ステップＳ５０８：Ｎｏ）、すなわち、ユーザーによってピンチ操作が行われていないと制御部５０が判定した場合、処理は、ステップＳ５０８に戻る。制御部５０は、第２接触位置Ｐ２と第３接触位置Ｐ３ａとの少なくとも一方が動いたと判定した場合（ステップＳ５０８：Ｙｅｓ）、すなわち、ユーザーによってピンチ操作が行われたと制御部５０が判定した場合、処理は、ステップＳ５１０に進む。
【００７７】
ステップＳ５１０：制御部５０は、第２接触位置Ｐ２と第３接触位置Ｐ３ａとの距離がどのように変化したかを判定する。詳しくは、制御部５０は、第２接触位置Ｐ２と第３接触位置Ｐ３ａとの距離が、ステップＳ５０６において、検出部３０によって第３接触位置Ｐ３ａが検出された際の、第２接触位置Ｐ２と第３接触位置Ｐ３ａとの距離ｄ１よりも長くなったか短くなったかを判定する。制御部５０が、距離ｄ１よりも短くなったと判定した場合（ステップＳ５１０：短くなった）、すなわち、制御部５０が、ピンチイン操作が行われたと判定した場合、処理は、ステップＳ５１８に進む。制御部５０が、距離ｄ１よりも長くなったと判定した場合（ステップＳ５１０：長くなった）、すなわち、制御部５０が、ピンチアウト操作が行われたと判定した場合、処理は、ステップＳ５１２に進む。
【００７８】
ステップＳ５１２：制御部５０は、所定の基準点ＢＰを表示面２２の端部に特定する。例えば、制御部５０は、所定の基準点ＢＰを表示面２２の左上側に特定する。処理は、ステップＳ５１４に進む。
【００７９】
ステップＳ５１４：制御部５０は、第１接触位置Ｐ１が所定の基準点ＢＰに位置するように画像Ｇを移動する。詳しくは、図２Ｂに示すように、検出部３０によって第１接触位置Ｐ１が検出された後に、第２接触位置Ｐ２と第３接触位置Ｐ３ａとが検出された時に、制御部５０は、第１接触位置Ｐ１が所定の基準点ＢＰに位置するように画像Ｇを移動する。本実施形態では、所定の基準点ＢＰは、表示面２２の左上側に位置する。したがって、画像Ｇは、左上側に移動する。すなわち、文字Ａを示す画像は、左上側に移動する。処理は、ステップＳ５１６に進む。
【００８０】
ステップＳ５１６：制御部５０は、所定の基準点ＢＰに対して画像Ｇの拡大処理を行う。詳しくは、図２Ｃに示すように、制御部５０は、基準点ＢＰを起点として画像Ｇの拡大処理を行う。処理は終了する。
【００８１】
ステップＳ５１８：制御部５０は、所定の基準点ＢＰを表示面２２の中央に特定する。処理は、ステップＳ５２０に進む。
【００８２】
ステップＳ５２０：制御部５０は、第１接触位置Ｐ１が所定の基準点ＢＰに位置するように画像Ｇを移動する。詳しくは、図４Ｂに示すように、検出部３０によって第１接触位置Ｐ１が検出された後に、第２接触位置Ｐ２と第３接触位置Ｐ３ａとが検出された時に、制御部５０は第１接触位置Ｐ１が所定の基準点ＢＰに位置するように画像Ｇを移動する。本実施形態では、所定の基準点ＢＰは、表示面２２の中央に位置する。したがって、文字Ａを示す画像は、中央に移動する。処理は、ステップＳ５２２に進む。
【００８３】
ステップＳ５２２：制御部５０は、所定の基準点ＢＰに対して画像Ｇの縮小処理を行う。詳しくは、図４Ｃに示すように、制御部５０は、基準点ＢＰを起点として画像Ｇの縮小処理を行う。処理は終了する。
【００８４】
以上、図１、図２Ａ〜図２Ｃ、図４Ａ〜図４Ｃおよび図１０を参照して説明したように、制御部５０がピンチアウト操作が行われたと判定した場合、制御部５０は、所定の基準点ＢＰを表示面２２の端部に特定する。また、制御部５０がピンチイン操作が行われたと判定した場合、制御部５０は、所定の基準点ＢＰを表示面２２の中央に特定する。したがって、ピンチ操作の際に、ピンチ操作の種類に応じて、画像Ｇが見やすい位置に移動する。このため、ピンチ操作を行うユーザーの指と、拡大したい画像（例えば、文字Ａを示す画像）とが重なることを抑制することができる。その結果、操作性を向上させることができる。
【００８５】
以上、図面（図１〜図１０）を参照しながら本発明の実施形態を説明した。但し、本発明は、上記の実施形態に限られるものではなく、その要旨を逸脱しない範囲で種々の態様において実施することが可能である（例えば、下記に示す（１）〜（２））。図面は、理解しやすくするために、それぞれの構成要素を主体に模式的に示しており、図示された各構成要素の長さ、個数等は、図面作成の都合上から実際とは異なる。また、上記の実施形態で示す各構成要素の形状、寸法等は一例であって、特に限定されるものではなく、本発明の効果から実質的に逸脱しない範囲で種々の変更が可能である。
【００８６】
（１）図６Ａ〜図６Ｃおよび図７Ａ〜図７Ｃを参照して説明したように、表示装置１０において、表示面２２は、境界線ＢＬによって左右の２つの領域に分割されていたが、本発明はこれに限定されない。例えば、表示面２２は、境界線ＢＬによって上下の２つの領域に分割されていてもよい。
【００８７】
（２）図１〜図１０を参照して説明したように、表示装置１０は、スマートフォンまたはタブレット型コンピューターであったが、本発明はこれに限定されない。例えば、表示装置１０は、画像形成装置に設けられていてもよい。
【図１】
0006791272.tif 000002
【図２Ａ】
0006791272.tif 000003
【図２Ｂ】
0006791272.tif 000004
【図２Ｃ】
0006791272.tif 000005
【図３】
0006791272.tif 000006
【図４Ａ】
0006791272.tif 000007
【図４Ｂ】
0006791272.tif 000008
【図４Ｃ】
0006791272.tif 000009
【図５】
0006791272.tif 000010
【図６Ａ】
0006791272.tif 000011
【図６Ｂ】
0006791272.tif 000012
【図６Ｃ】
0006791272.tif 000013
【図７Ａ】
0006791272.tif 000014
【図７Ｂ】
0006791272.tif 000015
【図７Ｃ】
0006791272.tif 000016
【図８】
0006791272.tif 000017
【図９】
0006791272.tif 000018
【図１０】
0006791272.tif 000019